(57)【要約】  構造キットからレールの異なるバリアントを形成する方法およびレール部分上で移動可能な車両を有する配置であって、その場合に構造キットが１つのレールプロフィール部分と２つの異なるリアクティブ部分とを有し、その場合にレールプロフィール部分がインターフェースを有し、そのインターフェースに選択的に異なるリアクティブ部分の１つが結合可能である。【選択図】図１
2014505184.tif 000002
【特許請求の範囲】
【請求項１】
構造キットから、レール、特にモノレールトのレールまたは懸架モノレールのレール、の異なるバリアントを形成する方法であって、
その場合に、前記構造キットが１つのレールプロフィールと２つの異なるリアクティブ部分を有し、
その場合にレールプロフィールがインターフェースを有し、前記インターフェースに選択的に種々のリアクティブ部分の１つが結合可能である、
前記方法。
【請求項２】
前記レールプロフィールが、インターフェースを形成するために孔開け補助、特に孔を形成する際の孔開け補助としての、孔開けノッチを有しており、
その場合に第１のバリアントを形成するために、リアクティブ部分を結合するため、特にリアクティブ部分とレールプロフィールとを結合するねじ用の孔を形成するために、第１の孔開け補助が使用され、
その場合に他のバリアントを形成するために、リアクティブ部分を結合するため、特にリアクティブ部分とレールプロフィールとを結合するねじ用の孔を形成するために、他の孔開け補助が使用される、
ことを特徴とする請求項１に記載の方法。
【請求項３】
リアクティブ部分として、リニア非同期モータまたは渦電流モータのブレード、あるいは同期モータの永久磁石を収容するホルダ部分、あるいはリラクタンスモータのリアクティブ部分あるいはラックが使用されることを特徴とする請求項１と２の少なくとも１項に記載の方法。
【請求項４】
レール部分上で移動可能な車両を有する配置であって、
その場合にレール部分がレールプロフィールを有している、
前記配置において、
レールプロフィールが、互いに離隔した複数の孔開け補助を有していることを特徴とするレール部分上で移動可能な車両を有する配置。
【請求項５】
レールプロフィールが、特に孔開け補助を有する、連続鋳造部品として形成されており、
特にその場合に、レールプロフィールがアルミニウムから形成されていることを特徴とする請求項４に記載の配置。
【請求項６】
レールプロフィール内に、空気、圧縮空気、水、オイルまたは油圧オイルのような、冷却媒体を通すための切り欠きが配置されていることを特徴とする請求項４と５の少なくとも１項に記載の配置。
【請求項７】
車両のホィールのための少なくとも１つの走行面を有していることを特徴とする請求項４から６の少なくとも１項に記載の配置。
【請求項８】
孔開け補助が、レール方向に延びる、互いに対して平行に延びるノッチ、特に孔開けノッチとして形成されており、
特にその場合に孔開けノッチが上側に、他の孔開けノッチが側面に配置されているので、孔開けノッチ内に形成された孔に一次導体を挿通することができる、
ことを特徴とする請求項４から７の少なくとも１項に記載の配置。
【請求項９】
レールプロフィールが、中空導体として使用される切り欠きとスロット中空導体として使用される切り欠きを有しており、その場合に
−中空導体内へ電磁放射を結合ないし減結合するためのアンテナ、
−スロット中空導体内へ電磁波を結合ないし減結合するためのアンテナ、および
−スロット中空導体内へ電磁波を結合ないし減結合するためのアンテナを有する車両、
が設けられていることを特徴とする請求項４から８の少なくとも１項に記載の配置。
【請求項１０】
中空導体内へ供給される電磁波の周波数が、スロット中空導体内へ供給される電磁波の周波数からファクター２より少なく異なっていることを特徴とする請求項４から９の少なくとも１項に記載の配置。
【請求項１１】
第１の孔開け補助に、孔が形成されており、前記孔に第１のリアクティブ部分がねじ結合されており、その場合に前記第１の孔開け補助から離隔した孔開け補助が、特に第１のリアクティブ部分とは異なるリアクティブ部分とねじ結合する際に利用するために、利用されずにレールプロフィールに配置されていることを特徴とする請求項４から１０の少なくとも１項に記載の配置。
【請求項１２】
孔開け補助が溝内に、特に溝底に、配置されていることを特徴とする請求項４から１１の少なくとも１項に記載の配置。
【請求項１３】
溝が、走行面内に形成されていることを特徴とする請求項４から１２の少なくとも１項に記載の配置。
【請求項１４】
中空導体として使用される他の切り欠き（１４）がレールプロフィール内に配置されており、その場合に寸法が、スロット中空導体におけるよりも少なくとも２倍高い周波数が使用されなければならないように小さいことを特徴とする請求項４から１３の少なくとも１項に記載の配置。
【請求項１５】
レールプロフィール部分に、収容手段が形成されており、前記収容手段に一次導体を収容する保持手段、特にプラスチックプロフィール部分が固定可能であり、前記保持手段内へ、特に１０から５００ｋＨｚの間の周波数を有する、中周波の交流電流が印可可能であるので、車両に配置された二次巻き線が一次導体に誘導的に結合され、前記一次導体がレール方向に長く延びて敷設されており、かつ二次巻き線に容量が直列または並列に、付属の共振周波数が一次導体内へ供給される交流電流の周波数に実質的に相当するように、接続されていることを特徴とする請求項４から１４の少なくとも１項に記載の配置。
【発明の詳細な説明】
【技術分野】
【０００１】
本発明は、構造キットからレールの異なるバリアントを形成する方法およびレール部分上で移動可能な車両を有する配置に関する。
【背景技術】
【０００２】
鉄道、路面鉄道などのような、公共の輸送のためのレールを鋼から形成することが知られている。
【発明の概要】
【発明が解決しようとする課題】
【０００３】
従って本発明の課題は、レールと結合された輸送設備を展開することであって、その場合にできる限りコスト的に好ましい形成が可能でなければならない。
【課題を解決するための手段】
【０００４】
本発明によれば、この課題は、請求項１に記載された特徴に基づく方法および請求項４に記載された特徴に基づく配置において、解決される。
【０００５】
構造キットからレール、特にモノレールのレールまたは懸架モノレールのレールの異なるバリアントを形成する方法における、本発明の重要な特徴は、構造キットが１つのレールプロフィール部分と２つの異なるリアクティブ部分とを有することであって、
その場合にレールプロフィール部分がインターフェースを有し、それに選択的に異なるリアクティブ部分の１つが結合可能である。
【０００６】
その場合に好ましくは、２部分の形態が設けられている。すなわち、それぞれ使用される車両の電動駆動装置に、従ってリニア渦電流モータ、非同期モータ、同期モータ、リラクタンスモータなどに従って、それに応じて有効なリアクティブ部分がレールに一体的に固定可能である。
【０００７】
好ましい形態において、レールプロフィールは、インターフェースを形成するために孔開け補助、特に、孔を形成する際の孔開け補助としての、孔開けノッチを有しており、
その場合に第１のバリアントを形成するために、特にリアクティブ部分とレールプロフィールとを結合するねじのための孔を形成するために、リアクティブ部分を結合するための第１の孔開け補助が使用され、
その場合に他のバリアントを形成するために、特にリアクティブ部分とレールプロフィールとを結合するねじのための孔を形成するために、リアクティブ部分を結合するための第２の孔開け補助が使用される。その場合に好ましくは、それぞれ選択された、従って形成すべきレール部分に従って、それに応じて異なるように配置された孔が、簡単なやり方でレールプロフィールに形成可能である。従って、中央または偏心して配置された結合ねじを用いて結合可能で、従ってそれに応じて異なる作用機構に従って機能する、リアクティブ部分が結合可能である。特に、リアクティブ部分としてラックも使用できるので、線形のギアモータが形成可能であって、その場合にギアモータの電動機によって駆動される、ギアモータの歯切り部分が、ラックと歯合する。
【０００８】
好ましい形態において、リアクティブ部分として、リニア非同期モータまたは渦電流モータのブレード、あるいは同期リニアモータの永久磁石を収容する保持部分またはリラクタンスモータのリアクティブ部分あるいはラックが使用されている。その場合に好ましくは、車両のリニアドライブにおいて異なる作用方法が実施可能である。特にある作用原理の既存の配置を他の作用原理にきわめて簡単かつ迅速に装備替えすることができる。
【０００９】
レール部分上で移動可能な車両を有する配置における重要な特徴、
その場合にレール部分は、レールプロフィールを有しており、
その場合にレールプロフィールは、互いに離隔した複数の孔開け補助を有している。その場合に好ましくは、それぞれ所望の実施バリアントに応じて、従ってそれぞれリアクティブ部分に応じて、レールプロフィール部分内に孔を簡単なやり方で迅速かつきわめて精確に形成することができる。このようにして、本発明に基づくシリーズにおいて、構造キット内でわずかな部品数を有するレールの高い可変条件が形成可能である。
【００１０】
好ましい形態において、レールプロフィールは、特に孔開け補助を有する、連続鋳造部品として形成されており、
特にその場合に、レールプロフィールはアルミニウムから形成されている。その場合に好ましくは、孔開けノッチを形成するための付加的な手間と費用は必要ない。
【００１１】
好ましい形態において、レールプロフィール内に、空気、圧縮空気、水、オイルまたは油圧オイルのような、冷却媒体を通すための切り欠きが配置されている。その場合に好ましくは、たとえば渦電流によって加熱されたレールプロフィールを、冷却媒体によって冷却することができる。切り欠きは、レールプロフィールの安定性を改良するように、形成することができる。そのために切り欠きは、たとえば円形の横断面で形成されている。
【００１２】
好ましい形態において、レールプロフィールは、車両のホィールのための少なくとも１つの走行面を有している。その場合に好ましくは、レールによって、ホィールとガイドホィールおよびリアクティブ部分のための走行面、中空導体および／またはスロット中空導体によるデータ伝送および／または冷却通路を通しての冷却媒体の案内のような、複数の機能性が実施可能である。
【００１３】
好ましい形態において、孔開け補助は、レール方向に延びる、互いに対して平行に延びるノッチ、特に孔開けノッチとして形成されており、
特にその場合に、孔開けノッチが上側に、他の孔開けノッチが側面に配置されているので、一次導体を孔開けノッチ内に形成された孔へ挿通することができる。その場合に好ましくは、予め定められたレール位置に簡単に孔を形成することができ、従ってケーブルを、レールプロフィールの車両へ向いた側面からレールプロフィールの車両とは逆の側へ、挿通することができる。
【００１４】
好ましい形態において、レールプロフィールは、中空導体として使用される切り欠きと、スロット中空導体として使用される切り欠きを有しており、その場合に、
−中空導体内へ電磁放射を結合ないし減結合するためのアンテナ、
−スロット中空導体内へ電磁波を結合ないし減結合するためのアンテナ、および
−スロット中空導体内へ電磁波を結合ないし減結合するためのアンテナを有する車両、
が設けられている。その場合に好ましくは、車両からスロット中空導体を介してデータを最寄りの供給部へ伝達可能であり、かつそこで、たとえば他の供給部または中央の計算機のような、他の器具のために定められたデータが中空導体を介してさらに伝達可能である。
【００１５】
好ましい形態において、中空導体内へ供給される電磁波の周波数は、スロット中空導体内へ供給される電磁波の周波数からファクター２よりも少なく異なっている。その場合に好ましくは、実質的に同様の周波数領域が使用可能であって、従ってスロット中空導体プロフィール内の切り欠きは、同様な大きさである。このようにして、切り欠きの適切な配置によってレールプロフィールの高い安定性が達成できる。
【００１６】
好ましい形態において、第１の孔開け補助に孔が形成されており、その孔に第１のリアクティブ部分がねじ結合されており、その場合に第１の孔開け補助から離隔した孔開け補助は、特に第１のリアクティブ部分とは異なるリアクティブ部分とねじ結合する際に利用するために、レールプロフィールに利用されずに配置されている。その場合に好ましくは、わずかに異なる部品によって、従って部品のほんの小さな構造キットから、種々のバリアントが形成可能である。
【００１７】
好ましい形態において、孔開け補助は溝内に、特に溝底に、配置されている。その場合に好ましくは、溝壁はセンタリングし、かつ側方を画成するために、使用することができる。
【００１８】
好ましい形態において、溝は走行面内に形成されている。その場合に好ましくは、車両は溝の両側においてホィールによって走行面上に支持可能である。
【００１９】
好ましい形態において、中空導体として使用可能な他の切り欠きがレールプロフィール内に配置されており、その場合に寸法は、スロット中空導体におけるよりも少なくとも２倍高い周波数を使用しなければならないように、小さい。その場合に好ましくは、他のデータ伝送チャネルを設けることができる。
【００２０】
好ましい形態において、レールプロフィールに収容手段が形成されており、その収容手段に、一次導体を収容する保持手段、特にプラスチックプロフィール部分が固定可能であって、その保持手段内へ、特に１０から５００ｋＨｚの間の周波数を有する、中周波の交流電流が印可可能であるので、車両に配置された二次巻き線が一次導体に誘導的に結合され、その一次導体はレール方向に長く延びて敷設されており、かつ二次巻き線には容量が、付属の共振周波数が一次導体内へ供給される交流電流の周波数にほぼ相当するように、直列または並列に接続されている。その場合に好ましくは、車両への非接触のエネルギ伝達が可能である。もちろんその場合に、金属の部分内に渦電流が発生され、それが加熱をもたらす。冷却するために、レールプロフィール内に冷却通路が設けられており、それを通して冷却媒体が案内される。
【００２１】
他の利点は、下位請求項から明らかにされる。本発明は、請求項の特徴の組合せに限定されるものではない。当業者にとっては、特に課題設定および／または従来技術との比較によって生じる課題から、請求項および／または個々の請求項特徴および／または明細書および／または図面の特徴を有意義に組み合わせる他の可能性が生じる。
【００２２】
図面を用いて、本発明を詳細に説明する。
【図面の簡単な説明】
【００２３】
【図１】本発明に基づくＥＨＢレールを示す横断面図であって、その場合にスロット中空導体１の開口部が側方に設けられている。
【図２】本発明に基づく他のＥＨＢレールを示す断面図であって、その場合にスロット中空導体１の開口部は、下方に設けられている。
【図３】図２に属する斜視図であって、その場合にブレードがレールと取り外し可能に結合されている。
【図４】図２に属する斜視図であって、その場合にラックがレールと取り外し可能に結合されている。
【発明を実施するための形態】
【００２４】
図１には、連続鋳造で形成されたＥＨＢレールのプロフィールが示されている。その場合に、連続鋳造プロフィール内には、連続鋳造方向につながって延びる切り欠きが設けられている。
【００２５】
ＥＨＢレールの上方の部分内には、２つの別々の切り欠き１４が配置されており、それらは電磁波を案内するための中空室として使用することができる。従って切り欠き１４は、選択的に中空導体として使用することができる。
【００２６】
切り欠き１４を包囲する壁の外側、特に上側と側壁に、ホィールのための走行面が設けられている。その場合に上側には、荷重ホィール用の走行面４が設けられており、その荷重ホィールが実質的にレール車両の重力を上側にあるこの走行面４内へ導入する。力は、レ−ルプロフィールを通して懸架部まで案内されなければならず、そこで力が懸架部へ逃がされる。
【００２７】
壁の側面に、レール車両のガイドホィールのための走行面３が設けられている。従って車両は、レールに沿って側方で案内可能である。
【００２８】
切り欠き１４を包囲する壁は、レール壁１５を介してプロフィールの他の部分と結合されており、その部分がまた、断面が閉成された切り欠き２を有しており、その切り欠きが中空導体として使用される。さらに、側方へ開放した切り欠き１が形成されており、それはスロット中空導体として使用することができる。従って、車両の重力と車両の側方のガイドだけでなく、電磁波の案内も可能にする、一体的なレールが提供される。その場合にプロフィール内の閉成された中空室は、中空導体２として使用されており、かつスロット中空導体として設けられている、プロフィール内で側方に開放した中空室が使用される。その場合に車両は、電磁波を送信および受信するためのアンテナをスロット領域に沿って案内しているので、車両の移動の間データの交換が中断されずに可能である。というのは、スロット中空導体１内へ結合された電磁波は、レールに沿って伝播するが、一部はスロットから出て、従ってデータの受信に使用可能だからである。逆に、アンテナから放射される電磁放射の一部は、スロット中空導体１内へ結合され、従ってそこからレール方向に沿ってさらに伝わることができる。電磁放射を結合ないし減結合するためのカップリング装置は、図には示されていない。
【００２９】
切り欠き１４を包囲する壁と、レール壁１５を介してそれに結合された部分とに、それぞれ固定手段１０、たとえば懸架手段が設けられている。従ってＥＨＢレールは、固定手段１０によって設備のホール壁に、あるいはＴ−支持体に固定可能であり、特に取り外し可能に結合できる。それによって迅速かつ簡単な交換が可能である。その場合に、レール全体、従って機械的に支持する部分も、電磁的に案内する中空導体として機能する部分も、交換される。
【００３０】
レール壁１５の側面に、トップハットレールのための収容部７、特にトップハットレール固定手段も配置されているので、トップハットレールが固定可能であって、それが他の機能を可能にする。
【００３１】
さらに、レールプロフィール内に、さらに切り欠きが設けられており、その切り欠きは通路８、特に圧縮空気通路または油圧通路として、使用することができる。従って、レール方向に圧縮空気または油圧を案内することができるので、レールプロフィールの加熱を達成することができる。一次導体から、強い交番磁場が流出するので、レールプロフィール内に渦電流が誘導され、それがレールプロフィールの加熱をもたらす。レールプロフィールを金属、特にアルミニウムから形成することによって、熱は特に良好に圧縮空気または油圧通路へ逃がされる。従って走行ホールおよび／またはガイドホィールとして、プラスチックで被覆されたホィールまたはプラスチックホィールが使用可能であって、従って走行面にレールの金属とプラスチックの間の材料ペアリングを使用することができる。そのことによって、車両の特に騒音のない駆動がもたらされる。
【００３２】
下方の部分内にも、側方にサイドホィールのための走行面３が、下側には他のガイドホィールのための走行面５が設けられている。
【００３３】
レール壁１５に、標記手段またはコード、特にバーコードまたはセンサマスクのための固定面６が設けられている。従って、車両に配置されたセンサを用いてコードを読み出すことができ、そこから車両のそれぞれ実際の位置についての情報を定めることができる。この決定は、車両内の電子回路を用いて行われ、その電子回路はセンサと電気的に接続されており、従ってそれによって検出された情報を処理する。
【００３４】
孔開けノッチを９を用いて、特に連続鋳造の際に、孔開け補助が形成されている。従ってレール壁１５に簡単なやり方で孔が形成可能であり、従って電子モジュールも螺合可能である。さらに、この種の穿孔穴に一次導体ケーブルが挿通可能である。好ましくはこの一次導体は、プラスチックプロフィール内へクリップ止めされ、そのプラスチックプロフィールがトップハットレール固定システム７に形状結合および／または力結合で結合されており、特にクリップ止めされている。
【００３５】
図２に示すように、この形態において、上側に他のコンポーネントのためのアダプタ溝１１が形成されている。図３に示すように、ブレード３０を設けることができ、それは線形の非同期モータの固定の部分として構築される場合があり、その場合に車両は三相交流巻き線を備えたステータを有し、その三相交流巻き線がレール方向に推進力を発生させるために短絡ケージに対する線形の等価としてブレードと相互作用する。代替的に、車両は渦電流ドライブとしてマグネットホィールドライブを有し、それにおいて永久磁石の配置は電磁石によって回転させることができるので、この永久磁石はブレード３０を通過して回転し、その場合にその中に渦電流を発生させ、それによってレール方向に推進力を発生させることができる。
【００３６】
図３に示すラック４０によって、車両が歯車を有し、その歯がラックの歯切りと歯合できることによって、設備内の大きな勾配も克服することができるので、特に勾配が大きく、従って斜面従動力が高い場合でも、駆動輪の空転を回避できる。
【００３７】
図３から明らかなように、レールプロフィールは、内蔵されたケーブル通路１２が形成されるように、形成されているので、ケーブルが挿入可能であり、従ってレール方向に簡単に敷設可能である。
【００３８】
さらに、プロフィールに、特にプロフィールの下方の部分に、差し嵌め可能なケーブル通路または他のコンポーネントのためのアダプタ溝１３が設けられている。従って、ホルダを差し込むことが可能であって、そのホルダは、たとえば一次導体を収容して保持し、その一次導体が、車両に配置された二次巻き線のコイルコアによって少なくとも部分的に包囲可能であり、従ってそれに誘導的に結合可能である。
【００３９】
設備の内部に、各区間部分のために供給部が設けられている。この供給部が、特に１０から５００ｋＨｚの間の周波数を有する、中周波の交流電流を長く延びた線形導体内へ印可し、その線形導体はレール方向に敷設されており、従って車両に配置された二次巻き線に誘導的に結合可能である。二次巻き線には、容量が直列または並列に、付属の共振周波数が印可される交流電流周波数に実質的に相当するように、接続されており、それによって一次巻き線から車両の二次巻き線への非接触のエネルギ伝達において、高い効率を達成することができる。
【００４０】
スロット中空導体１と中空導体２は、異なるように使用される。上で述べたように、車両とスロット中空導体との間でデータが交換されるので、その場合にデータはスロット中空導体内で、スロット中空導体内へ突出するアンテナまで、さらに案内することができる。
【００４１】
好ましくは、このアンテナは、一次電流の供給部の領域内に配置されている。この領域内において、レール部分にスロットが形成されており、その中へプレートが挿入されているので、中空導体２は前方の中空室と後方の中空室に分離されている。同様に、プレートの前後にそれぞれ、電磁波を結合または減結合するためのアンテナが設けられている。アンテナの信号は、それぞれ供給部の領域内に配置されている、それぞれのデータ伝送装置へ供給される。
【００４２】
スロット中空導体１は、移動可能な轍案内される車両のための安定した、シールドされた無線接続を実現するために、使用される。これは、スロット中空導体への車両の結合が、可動の車両カプラー、従ってスロット中空導体のスロットに沿って案内されるアンテナ、を介して行われることを、意味している。従って非接触の可動のデータ伝送が可能である。
【００４３】
閉成された中空導体２は、固定のバックボーン通信のために使用される。この場合において、送信器も受信器も場所に固定されており、移動させることはできない。送信位置と受信位置の間において、中空導体は閉成されており、その間で信号結合、従って信号結合または信号減結合が行われることはない。従ってこのようにして、同軸ケーブルを有するケーブル接続の場合のような、固定のデータ伝送が実現されている。
【００４４】
その場合に重要なことは、各区間部分に、供給部とも称される、電気的な配置が対応づけられていることであって、その配置は、車両の非接触のパワー供給のために、一次導体へのパワー供給のために設けられているだけでなく、データ伝送のための信号も、結合ないし減結合される。その場合に信号は、中空導体２内へ結合され、かつ／または中空導体として使用される切り欠き１４内へ結合される。このようにして、すべての供給部または中央の制御部へのデータ伝送が可能である。というのは、すべての供給部と場合によっては中央の制御部も、中空導体２ないし切り欠き１４とのデータ交換のために、中空導体ないし切り欠き内へ突出する、然るべきアンテナを有しているからである。
【００４５】
スロット中空導体を用いて、車両と、供給部に対応づけられた区間部分内でスロット中空導体１内へ突出するアンテナと接続されている供給部との間で、データが交換可能である。
【００４６】
信号は、スロット中空導体１と中空導体２ないし切り欠き１４内へ、４から８ＧＨｚの間の周波数領域からなる周波数で結合されるが、スロット中空導体１においてはレール方向における減衰がより大きく、従ってより小さいデータ伝送率および／または到達範囲が実現可能である。
【００４７】
中空導体１および／または切り欠き１４内では、減衰はより小さく、従って高い率を有するデータ伝送が可能になる。
【００４８】
供給部は、車両と、区間部分のスロット中空導体に対応づけられた供給部との間で交換されないデータを中空導体２内へさらに案内し、あるいはそれから取り出す、コンバータも含んでいる。
【００４９】
図２に示すように、アダプタ溝１１は、溝の中央に配置され１つの孔開けノッチと他の２つの孔開けノッチ２０を有しているので、中央に配置された孔開けノッチの両側にそれぞれ少なくとも１つの孔開けノッチ２０が配置されており、その場合に特にこれらの孔開けノッチは偏心して配置されている。その場合に、中央に配置された孔開けノッチ２０に対して対称の離隔が効果的である。
【００５０】
孔開けノッチは、レール方向に伸張して形成されており、従って特に連続鋳造の際に連続鋳造工具によって形成される。
【００５１】
このようにして、孔開けノッチの領域内に孔を形成することは、簡単である。というのは、孔開け工具は、あてがう際に側方へ滑らないからである。孔は、その形成後に孔開けノッチ２０を有している。
【００５２】
形成する際に、選択的に、図３に示す形態ないし図４に示す形態が、形成可能である。そのために、然るべき孔開けノッチにおいてプロフィール部分に都合良く配置された孔が形成される。
【００５３】
図３に記載の形態を選択する場合に、偏心したノッチ２０内の２つの孔が使用されるので、ブレード３０はその、溝底内に配置されている幅広部において両側でプロフィール部分とねじ結合されている。
【００５４】
図４に記載の形態を選択する場合に、中央に配置されたノッチ２０内の孔が使用されるので、ラック４０は中央においてプロフィール部分とねじ結合されており、特にその場合にねじ結合はラック４０の凹部内に、従ってできるだけ小さい肉厚を有する箇所に、配置されている。
【００５５】
従ってプロフィール部分、ラックおよびブレードを有する構造キットを準備することができる。その場合に、この構造キットから選択的にブレードを有するか、あるいはラックを有するバリアントを形成することができる。従ってわずかな部品数で、多数のバリアントを形成することができる。このようにして、構造キットから種々のレールプロフィールのシリーズを発生させることができる。
【００５６】
好ましくは他の孔開けノッチが同様にレール方向に平行に形成されて、アダプタ溝内に設けられており、従ってそれによって中央に配置された孔開けノッチに対して他の間隔で他のねじ結合が可能になる。
【００５７】
本発明に基づく他の実施例においては、ブレードまたはラックだけでなく、同期リニアモータを形成するための、永久磁石を収容するホルダのような、他のリアクティブ部分、あるいは線形のリラクタンスモータのリアクティブ部分も収容されている。
【００５８】
本発明に基づく他の実施例においては、中央に配置された孔開けノッチの代わりに、中央に配置されない孔開けノッチが使用されている。
【符号の説明】
【００５９】
１    スロット中空導体
２    中空導体
３    サイドホィール用の走行面
４    荷重ホィール用の走行面
５    他のガイドホィール用の走行面
６    標記手段、コード、特にバーコードまたはセンサマスク用の固定面
７    トップハットレール用の収容部、特にトップハットレール固定手段
８    通路、特に圧縮空気通路または油圧通路
９    孔開けノッチ
１０  固定手段、特に収容手段
１１  他のコンポーネント用のアダプタ溝
１２  内蔵されたケーブル通路
１３  差し嵌め可能なケーブル通路または他のコンポーネント用のアダプタ溝
１４  切り欠き、特に中空導体として使用可能
１５  レール壁
２０  孔開けノッチ
３０  ブレード、特にアルミニウムブレード
４０  ラック
４１  ねじ、中央の孔開けノッチの領域内に螺合
【図１】
2014505184.tif 000003
【図２】
2014505184.tif 000004
【図３】
2014505184.tif 000005
【図４】
2014505184.tif 000006
【国際調査報告】
2014505184.tif 000007
2014505184.tif 000008
2014505184.tif 000009
2014505184.tif 000010